(57)【要約】【課題】  燃焼後も装飾性を楽しめるキャンドルを提供する。【解決手段】  小グラス２は大グラス３の中央に入れられて周囲が１重に取り囲まれている。小グラス２の収納空間の中央には下端部が芯立て７に固定された芯材８が上下方向に配設されており、この芯材８を埋めるように透明なジェルワックス１０が充填されている。小グラス２と大グラス３の間の収納空間の内、小グラス２の底より低い部分には装飾用のカラーサンドが充填されて基層２０が形成されている。小グラス２は基層２０の上に載せられている。小グラス２と大グラス３の間の収納空間の内、小グラス２の側面周囲には小花、花びら、葉などの装飾物３０が入れられており、これらの装飾物３０を埋めるように透明なジェルワックス１０が充填されている。【選択図】      図１
0003187599.tif 000002
【実用新案登録請求の範囲】
【請求項１】
上面が開口した中央容器部と、上面が開口し中央容器部の周囲を１重または多重に取り囲む外側容器部とを含む多層容器を有し、
中央容器部の収納空間には芯材と、ジェルワックスまたは蝋またはソイワックスの少なくとも一つを入れ、
外側容器部の収納空間には装飾物と、ジェルワックスまたは蝋またはソイワックスの少なくとも一つを入れたこと、
を特徴とするキャンドル。
【請求項２】
多層容器の最外の壁を一番高くし、他の壁の上端が埋まるように各収納空間にジェルワックスまたは蝋またはソイワックスの少なくとも一つを入れたこと、
を特徴とする請求項１記載のキャンドル。
【請求項３】
いずれか１つまたは複数の収納空間に入れるジェルワックスまたは蝋またはソイワックスの全部または一部を着色したこと、
を特徴とする請求項１または２記載のキャンドル。
【考案の詳細な説明】
【技術分野】
【０００１】
本考案はキャンドルに係り、とくに装飾性を有するキャンドルに関する。
【背景技術】
【０００２】
従来からキャンドルの装飾性を高めるため、容器内に貝殻や花などを装飾的に配置した状態で透明のジェルワックスにより封じ込めたり、カットした色付きのジェルワックスを種々に組み合わせて容器に入れたりすることがなされている（特許文献１参照）。
けれども、従来の装飾性キャンドルでは火が点けられてジェルワックスの燃焼が進行すると、貝殻や花などの配置が崩れたり、色付きカットジェルワックス自体が無くなってしまい、燃焼後は装飾性を全く楽しめないという問題があった。
【先行技術文献】
【特許文献】
【０００３】
【特許文献１】実用新案登録第３０８３９９３号
【考案の概要】
【考案が解決しようとする課題】
【０００４】
本考案は上記した従来技術の問題に鑑みなされたもので、燃焼後も装飾性を楽しめるキャンドルを提供することを、その目的とする。
【課題を解決するための手段】
【０００５】
本考案の請求項１記載のキャンドルでは、上面が開口した中央容器部と、上面が開口し中央容器部の周囲を１重または多重に取り囲む外側容器部とを含む多層容器を有し、中央容器部の収納空間には芯材と、ジェルワックスまたは蝋またはソイワックスの少なくとも一つを入れ、外側容器部の収納空間には装飾物と、ジェルワックスまたは蝋またはソイワックスの少なくとも一つを入れたこと、を特徴としている。
本考案の請求項２記載のキャンドルでは、多層容器の最外の壁を一番高くし、他の壁の上端が埋まるように各収納空間にジェルワックスまたは蝋またはソイワックスの少なくとも一つを入れたこと、を特徴としている。
本考案の請求項３記載のキャンドルでは、いずれか１つまたは複数の収納空間に入れるジェルワックスまたは蝋またはソイワックスの全部または一部を着色したこと、を特徴としている。
【考案の効果】
【０００６】
本考案によれば、燃焼後も燃焼前と同様に装飾性を楽しむことができる。
【図面の簡単な説明】
【０００７】
【図１】本考案の第１実施例に係る装飾型キャンドルの正面図である（実施例１）。
【図２】図１の装飾型キャンドルの作成方法の説明図である。
【図３】図１の装飾型キャンドルの作成方法の説明図である。
【図４】図１の装飾型キャンドルの燃焼後の断面図である。
【図５】本考案の第２実施例に係る装飾型キャンドルの正面図である（実施例２）。
【図６】図５の装飾型キャンドルの作成方法の説明図である。
【図７】図５の装飾型キャンドルの作成方法の説明図である。
【図８】図５の装飾型キャンドルの燃焼後の断面図である。
【考案を実施するための最良の形態】
【０００８】
以下、本考案の最良の形態を実施例に基づき説明する。
【実施例１】
【０００９】
図１を参照して本考案の第１実施例を説明する。図１は本考案に係る装飾型キャンドルを示す正面図である。
図１において、１は装飾型キャンドル、２は中央容器部の一例としての透明な小グラスであり、上面が開口している。３は外側容器部の一例としての透明な大グラスであり、上面が開口している。小グラス２は大グラス３の中の中央に入れられて周囲が１重に取り囲まれている。大グラス３の壁４の上端は小グラス２の壁５の上端より高くなっている。小グラス２と大グラス３により多層容器６が構成されている。
【００１０】
小グラス２の収納空間の中央には下端部が芯立て７に固定された芯材８が上下方向に配設されており、この芯材８を埋めるように透明なジェルワックス１０が充填されている。小グラス２と大グラス３の間の収納空間の内、小グラス２の底より低い部分には装飾用のカラーサンドが充填されて基層２０が形成されている。この実施例では小グラス２は基層２０の上に載せられている。小グラス２と大グラス３の間の収納空間の内、小グラス２の側面周囲には小花、花びら、葉などの装飾物３０が入れられており、これらの装飾物３０を埋めるように透明なジェルワックス１０が充填されている。透明なジェルワックス１０は小グラス２の壁５の上端が埋まる高さまで入れられている。
【００１１】
図２、図３を参照して装飾型キャンドル１の作成方法を説明する。
大グラス３の収納空間の底部にカラーサンドを敷きつめ、基層２０を形成し、中央に小グラス２を置く（図２（１）参照）。小グラス２と大グラス３の間の収納空間の内、小グラス２の周囲に小花、花びら、葉などの装飾物３０を基層２０に一部分を差し込んで姿勢を安定させながら入れる（図２（２）参照）。小グラス２の中に芯立て７に固定した芯材８を入れ（図２（２）参照）、割り箸のような補助具（図示せず）を使って芯材８を上下まっすぐに支持しながら、加温して溶かした透明なジェルワックス１０を小グラス２の収容空間に満たし（図２（３）参照）、更に、小グラス２と大グラス３の間の収容空間に満たし（図３（１）参照）、小グラス２の壁５の上端が埋まるまで入れる（図３（２）参照）。暫く放置して、透明なジェルワックス１０が冷めて半固形状になれば完成である。
【００１２】
このようにして形成した装飾型キャンドル１によれば、火を点ける前にあっては透明なジェルワックス１０の中に、カラーの基層２０を土台とし、小花、花びら、葉などの種々の装飾物３０が活けられた置物としての機能を発揮する。そして、芯材８に火を点ければキャンドルとしての癒し効果も得られる。燃焼が進むと、小グラス２の壁５の上端から上の部分と小グラス２の収容空間内のジェルワックス１０は無くなるが、小グラス２の側面周囲のジェルワックス１０は燃焼せずに残る（図４参照）。したがって、燃焼中及び燃焼後も、小花、花びら、葉などの種々の装飾物３０が活けられた置物としての機能を発揮し続けることができる。
燃焼後は、芯材８を取替え、ジェルワックス１０を追加することで元のキャンドルの状態に戻すこともできる。
また、火を点ける前において、小グラス２の壁５の上端が埋まるように透明なジェルワックス１０が満たされているので、小グラス２の壁５の上端が見え難くなり、上から見た時の美観も向上する。
【００１３】
なお、上記した実施例では基層の上に小グラスを載せたが、大グラスの底の上に直接、小グラスを載せても良い。また、基層を省略しても良い。
また、上記した実施例では、大小２つのグラスを用いて、中央容器部としての小グラスの周囲を大グラスで一重に取り囲む場合を例に挙げて説明したが、大中小の３つのグラスを用い、大グラスに中グラスを入れ、中グラスの中に小グラスを入れて、中央容器部としての小グラスの周囲を大中２つのグラスで二重に取り囲み、小グラスと中グラスの間の収容空間、中グラスと大グラスの間の収容空間に、装飾物と透明なジェルワックスを入れるようにしても良い。
【実施例２】
【００１４】
次に図５を参照して本考案の第２実施例を説明する。図５は本考案に係る装飾型キャンドルを示す正面図である。
図５において、１Ａは装飾型キャンドル、２Ａは中央容器部の一例としての透明な内筒部であり、上面が開口している。３Ａは外側容器部の一例としての透明で大きな外筒部であり、上面が開口している。内筒部２Ａの周囲は外筒部３Ａにより一重に取り囲まれている。外筒部３Ａの壁４Ａの上端は内筒部２Ａの壁５Ａの上端より高くなっている。内筒部２Ａは外筒部３Ａと一体化されており、多層容器６Ａとなっている。
【００１５】
内筒部２Ａの収納空間の中央には下端部が芯立て７に固定された芯材８が上下方向に配設されており、この芯材８を埋めるように透明なジェルワックス１０が充填されている。内筒部２Ａと外筒部３Ａの間の収納空間の下部には色付きのジェルワックスが入れられて基層２０Ａが形成されている。この基層２０Ａの上には小花、花びら、葉などの装飾物３０が入れられており、これらの装飾物３０を埋めるように透明なジェルワックス１０が充填されている。透明なジェルワックス１０は内筒部２Ａの壁５Ａの上端が埋まる高さまで入れられている。
【００１６】
図６、図７を参照して装飾型キャンドルの作成方法を説明する。
図６（１）の多層容器６Ａの内、内筒部２Ａと外筒部３Ａの間の収納空間の下部に加温して溶けた色付きのジェルワックスを入れ、暫く放置して半固形化させて基層２０Ａを形成させる（図６（２）参照）。内筒部２Ａの周囲（内筒部２Ａと外筒部３Ａの間の収納空間）に小花、花びら、葉などの装飾物１０の一部分を基層２０Ａに差して姿勢を安定させながら入れる（図６（３）参照）。内筒部２Ａの中に芯立て７に固定した芯材８を入れ（図６（３）参照）、割り箸のような補助具を使って上下まっすぐに支持しながら、加温して溶かした透明なジェルワックス１０を内筒部２Ａの収容空間に満たし（図７（１）参照）、更に、内筒部２Ａと外筒部３Ａの間の収容空間に満たし（図７（２）参照）、内筒部２Ａの壁４Ａの上端が埋まるまで入れる（図７（３）参照）。暫く放置して、透明なジェルワックス１０が冷めて半固形状になれば完成である。
【００１７】
このようにして形成した装飾型キャンドル１Ａによっても、火を点ける前にあっては透明なジェルワックス１０の中に、カラーの基層２０Ａを土台とし、小花、花びら、葉などの種々の装飾物３０が活けられた置物としての機能を発揮する。そして、芯材８に火を点ければキャンドルとしての癒し効果も得られる。燃焼が進むと、内筒部２Ａの壁５Ａの上端から上の部分と内筒部２Ａの収容空間のジェルワックス１０は無くなるが、内筒部２Ａの周囲の透明なジェルワックス１０及び基層２０Ａは燃焼せずに残る（図８参照）。したがって、燃焼中及び燃焼後も、小花、花びら、葉などの種々の装飾物３０が活けられた置物としての機能を発揮し続けることができる。
燃焼後は芯材８を取替え、透明なジェルワックス１０を追加することで再びキャンドルとして使用できる。
また、火を点ける前において、内筒部２Ａの壁５Ａの上端が埋まるようにジェルワックス１０が満たされているので、内筒部２Ａの壁５Ａの上端が見え難くなり、上から見た時の美観も向上する。
【００１８】
なお、上記した第２実施例では、中央容器部としての内筒部の周囲を外筒部で一重に取り囲む場合を例に挙げて説明したが、内筒部の周囲を第１外筒部で取り囲み、更に、第１外筒部の周囲を第２外筒部で取り囲むようにし、内筒部と第１外筒部の間の収容空間、第１外筒部と第２外筒部の間の収容空間に、装飾物と透明なジェルワックスを入れるようにしても良い。
【００１９】
また、上記した各実施例では、装飾物として小花、花びら、葉を例に挙げて説明したが、果物、貝殻、塩、砂糖、メッセージカード、名刺、色付きガラス玉、カレット（色付きガラスの小片）、カラーサンドなど装飾性に用いることのできる種々の素材を使用でき、ジェルワックスに香料を混ぜることもできる。
また、上記した各実施例で説明した透明なジェルワックスの全部または一部を蝋、ソイワックスなどに置き換えたり、色付きのジェルワックス、色付きの蝋、色付きのソイワックスに置き換えても良い。
また、多層容器も一部色付きのものや半透明なものを用いても良い。
【産業上の利用可能性】
【００２０】
本考案は、家庭、飲食店なでど使用するキャンドルに適用可能である。
【符号の説明】
【００２１】
１、１Ａ  装飾型キャンドル
２  小グラス  ２Ａ  内筒部
３  大グラス  ３Ａ  外筒部
４、４Ａ、５、５Ａ  壁
６、６Ａ  多層容器
７  芯台
８  芯材
１０  ジェルワックス
２０、２０Ａ  基層
３０  装飾物
【図１】
0003187599.tif 000003
【図２】
0003187599.tif 000004
【図３】
0003187599.tif 000005
【図４】
0003187599.tif 000006
【図５】
0003187599.tif 000007
【図６】
0003187599.tif 000008
【図７】
0003187599.tif 000009
【図８】
0003187599.tif 000010